(57)【要約】【課題】  本発明は、スプロケット式遊技球揚送装置及びこの装置を用いたものである。【解決手段】  １１個の部品で構成され、床面約４０ｍｍで遊技球流入口があり、上面に遊技球流入口と遊技球出口とが形成された本体の内部に、周面に遊技球受け部が形成された内部にガイドばねを付け、前記遊技球を揚送するための遊技球揚送用のスプロケットとを配置したスプロケット式遊技球揚送機であって、上記本体と上記スプロケットの球受け入れ部との間に、前記本体周面にそったガイドばねの入口側に突起を付けたガイドばねを設けた、且つガイドばねの一端を固定したのを特徴とするスプロケット式遊技球揚送機。  超小型化を実現するスプロケットは小径で１２等分以下を実現しうる揚送構造になっていて、一分間に２４０個の揚送が可能であり、２４時間連続運転で噛みこみ停止しない小型の構造である。【選択図】    図１
2011130903.tif 000002
【特許請求の範囲】
【請求項１】
上面に遊技球流入口と遊技球出口とが形成された本体の内部周面に遊技球受け部が形成され、この遊技球受け部に沿って、前記遊技球を揚送するための遊技球揚送用のスプロケットを配置したスプロケット式遊技球揚送機であって、前記本体と前記スプロケットの球受け入れ部との間に、前記本体周面にそった入口側に突起を付けた帯状素材で出来たガイドばねを設け、且つ帯状素材の少なくとも一端を前記本体と共に固定したのを特徴とするスプロケット式遊技球揚送機。
【請求項２】
本体遊技球出口とスプロケットの遊技球送り出し側との間に、ガイドばねを突起曲げ加工して逆流防止ストッパとした請求項１に記載のスプロケット式遊技球揚送機。
【請求項３】
本体遊技球移送ガイドとスプロケット間に、帯状素材で作られたガイドを配置した請求項１と２に記載の噛みこみ防止ガイドばねを特徴とするスプロケット式遊技球揚送機。
【請求項４】
遊技球を搬送揚送するスプロケットを１２等分以下で実現しうる揚送構造になっている請求項１に記載のスプロケット式遊技球揚送機。
【発明の詳細な説明】
【技術分野】
【０００１】
本発明は、スプロケット式遊技球揚送装置及びこの装置を用いたものである。
【背景技術】
【０００２】
ゲームセンター遊技球用に製造された個別の遊技機は、点数表示がなされている。  
上記は、遊技球を一旦ホッパーに受けて、センサー部へ転送し計数通路ユニットへ案内されて内部のセンサーで計数され、計数されなかった遊技球とともにこのあと、遊技済み遊技球排出通路に接続された樋を通り外部に排出され、排出された遊技球は、遊技球揚送機により順次押し上げられ遊技機内部機構へ戻される。
上記方式は遊技球が遊技機内を循環するため遊技球の使用数が１台あたり１５０個以下で少なくてすみ経費の節約になるが個別の揚送機が必要である。
一方パチンコ店では大型の揚送機でパチンコ玉を、１台あたり10、000個ほど×台数の玉がお店の中を搬送され大量のパチンコ玉が循環されている。近年磁気カードの普及によりパチンコ店の出玉も点数方式に変わる可能性がある。
従来機小型遊技球揚送機は、50年以上前にパチンコ店用に開発されたもので比較的大型の物が使用され揚送スプロケットが直径５０ｍｍ歯数１４で大きくストッパ及び噛みこみ防止機構も大きく装置全体も大型のため大きい容積を必要としている。
【先行技術文献】
【特許文献】
【０００３】
【特許文献１】特開２０００−１４０３８５
【特許文献２】特開２００７−９７７５９
【発明の概要】
【発明が解決しようとする課題】
【０００４】
ゲームセンター遊技機用に製造された遊技球遊技機は遊戯機内を遊技球が循環するので必要遊技球数が少なくてすむが個々の遊技機に個別の揚送機が必要である。
上記遊技球遊技機は設置するスペースが小さく従来の遊技球揚送機は大型であった。
上記課題により従来機の約１/３のスペースで機能を満足する小型の物があればゲームセンター遊技機の製造コストダウンにもなり設置や移動が簡単になるために、課題解決が必要である。
【０００５】
従来のパチンコ玉移載器揚送機特解２００００−１４０３８５または特解２００７−９７７５９のようなスプリングとガイド部材を使用した噛みこみ防止機構はスペース的に設ける事が出来ないため流入部の噛みこみ防止機構及びストッパ部流入部機構ままでは小型化の実現が難しく、小型化を実現するために本発明が必要である。
【課題を解決するための手段】
【０００６】
本発明は、上面に遊技球流入口と遊技球出口とが形成された本体の内部に、周面に遊技球受け部が形成された内部にガイドばねを付け、前記遊技球を揚送するための遊技球揚送用のスプロケットとを配置したスプロケット式遊技球揚送機であって、上記本体と上記スプロケットの球受け入れ部との間に、前記本体周面にそった入口側に突起を付けた帯状素材を加工して製作したガイドばねを設けた、且つガイドばねの一端を固定したのを特徴とする。
上記本体遊技球出口とスプロケットの遊技球送り出し側との間に、ガイドばねを曲げ加工して作られた逆流防止ストッパを配置したのを特徴とする。
本体とスプロケット間に、帯状素材で作られたガイドを配置したのを特徴とする。
遊技球を搬送揚送するスプロケットを１２等分以下で実現しうる揚送構造になっている。
【発明の効果】
【０００７】
本発明は、部品点数が少なく小型で構造が簡単なため組立に熟練の必要なく、メンテナンスも容易である。
【０００８】
本発明は、部品点数が少なく機構構造が簡単で小型化ができ、６等分スプロケットで1分間２４０個の遊技球が揚送出来、入口振り子機構の遊技球確認センサードックを返して遊技球の有無を確認するセンサーで回転制御をしているために必要時のみモーター回転もできる。
【０００９】
本発明は、小型で部品数が少なく、簡単な機構で従来機の機能を満たすことが出来、新規制あり遊技機揚送機だけでなく、遊技機内に組み込みも可能で、球体や丸棒等を使用した他装置・機械にも応用が可能である。
【００１０】
本発明は、将来パチンコ機内部パチンコ玉循環方式に変化した時、本遊技球揚送装置機構がパチンコ台に利用の可能性がある。
【図面の簡単な説明】
【００１１】
【図１】組立正面図及び組立側面図
【図２】遊技球の流れイメージ断面図
【図３】遊技球流入用遊技球有りセンサー確認と正常流入イメージ図
【図４】遊技球揚送時落下防止ストッパ動作完了イメージ図
【図５】ガイドばね形状図
【図６】スプロケット
【図７】ガイドばね加工途中と加工後の形状イメージ図
【図８】遊戯機と揚送機の配置イメージ図
【発明を実施するための形態】
【００１２】
以下図面を参照しつつ本発明の好ましい実施形態を説明する・図１図２の玉番号は遊技球および遊技球の配列をあらわしいる。
図1左側図は揚送機組立正面図、右側図は揚送組立側面図で１１個の部品で構成されている。
【００１３】
図５はガイドばね５で曲げ加工断面図である。
上記ガイドばね５は、帯状素材で作られ図右側より本体３の溝に嵌めこみ保持する直線部５Aがあり、噛みこみ防止をするため本体３との隙間を形成できる局部５B部を空けて本体３の内周面R形状に沿って５C曲げ加工しR終端に５D折り曲げ加工を施し遊技球の落下を止めるストッパとし本体３の一端に固定できる形状にした。
【００１４】
上記ガイドばね５は、図５右側直線部５A終端より局部５Bに本体３から遊技球が転がり落下してきて垂直落下がスムーズに落ちるように曲げ加工がしてあり、上記噛みこみ防止対策と兼ねている。
【００１５】
上記ガイドばね５は、ばね自体を噛みこみ防止機構とする事で、噛みこみ防止機構の省スペースを可能にして揚送装置の小型化に繋がった。
【００１６】
上記ガイドばね５は、スプロケット４が小径で一度の揚送量が少なくガイドばねストッパは可動範囲が小さくてすませることが出来る形状５Dで、ばね力とストッパ機構が一体の構造である。
【００１７】
上記ガイドばね５は、可動範囲が小さくてすませることが出来る形状５Dであるため、スプロケット４を１２等分以下でも小径を実現しうる構造になっている。
【００１８】
上記ガイドばね５は、帯状素材t0.3×d10を図7帯状素材途中加工図５E、図7の５のように曲げ加工して一体で作っているが、噛みこみ防止部、周面ガイド部、ストッパ部を3分割で製作も可能で材料も弾力性があり反発力があれば金属又は樹脂などの様々な材料で製作可能である。
【００１９】
上記ガイドばね５の、周面ガイド部は遊技球を傷のつかない表面処理が遊技球の当たるところのにしてある。
【００２０】
図２は本体３と送りスプロケット４の間を遊技球の玉が搬送される様子をイメージした断面図である。
図２遊技球の搬送をガイドする本体３は、図２右側より遊技球を受け入れ、前記遊技球を自重落下で転がる傾斜面がつけられていて、スプロケット４のRに加工された凹部４Ｂに入るように遊技球下面をガイドしている。
【００２１】
上記スプロケット４に玉５が入りスプロケット凹部４Ｂに入った玉５をスプロケット４で回転し玉１方向移動するときに玉がスムーズに送れるような上記本体３の内周面ガイドがR加工してある。
【００２２】
上記本体３は玉１より揚送機構になるため周面R終端より垂直上向きに直線加工がしてある。
【００２３】
上記本体３のR加工の両端にガイドばね５取り付け用溝加工がしてあり前記ガイドばね５を固定できるようにしてある。
【００２４】
前記図２の一部と図６はスプロケット４の断面図である。
スプロケット４は遊技球を受ける凹部R加工４Bが６か所あり下記駆動装置１の出力軸に取り付けられて、凹部４Aと共に凸部４Aで遊技球をガイドして回転移動するスプロケット４である。
【００２５】
上記スプロケット４が１２等分以下で可能で、今回は６等分のスプロケットで、スプロケットの外形が小径でもスムーズな揚送が出来ることが、遊技球揚送機が小型にないっている。
【００２６】
上記スプロケット４とガイドばね５の組み合わせ機構構造が、省スペースで揚送を可能にして、遊技球揚送機全体が小型にないっている。
【００２７】
図１の２はベースで図１右側側面図から見た側面断面図のL形をしたベースで、図１左側正面図から見た垂直面裏面に駆動装置１を取り付けL形垂直面表面に本体３・ジョイント６などの部品を取り付ける。L形水平面下面は遊技球揚送装置を遊技台に固定するときの取り付け用穴があるベース２である。
【００２８】
図１の１は駆動装置でユニットになっていてモーターと減速ギアーと出力軸で構成され、上記出力軸に６等分のスプロケット４が取り付けられている駆動装置１である。
【００２９】
上記ベース2は、本体３とジョイント６の部品を取り付けて遊技球を搬送揚送する時、遊技球の側面ガイドの役目をしている。
【００３０】
図１の６はジョイントで遊技球を入口から出口まで玉を揚送して、外部へ遊技球を押し上げ排出する繋ぎのためのジョイント６で、ベース２とガイド３に固定され、遊技球の揚送球をガイドしていて、外部機器と連結出来る構造である。
【００３１】
図１の７は側板７で遊技球を搬送揚送する時、遊技球の側面ガイドの役目をしている。
【００３２】
図１の８はばね押さえ８でガイドばねの一端を固定する。
【００３３】
図１の９はセンサーステー９でセンサースイッチ取り付けするセンサースイッチ取り付けステーである。
遊技球の流入確認用ドックが長期間使用してすり減ったときスイッチ確認位置が変化してきたときスイッチ確認位置を微調整できるように長穴加工がしてある。
【００３４】
図１の１０はセンサードック１０で下記の役目をしているセンサードックである。
上記センサードック１０は玉の流入を小型のセンサースイッチに伝える振り子方式で遊技球１個が通過確認する長さ分の曲げ加工がしてある。
【００３５】
上記センサードック１０は遊技球の垂直落下を助けるガイドの役目もする、斜めガイドが曲げ加工してある。
【００３６】
上記センサードック１０は、斜めガイドが曲げ加工がばねによる撥ね戻しされた遊技球の衝撃を吸収し遊技球の戻りを少なくしている。
【００３７】
上記センサードック１０は戻り遊技球がセンサーに当たらないようにしてセンサーの破損を防ぐ役目もしている。
【００３８】
上記センサードック１０は、軽量の遊技球が転がり落下が出来るように搖動の支点の上下のバランスを遊技球の重量に合わせ製作している。
【００３９】
上記センサードック１０は、遊技球とセンサーのサイズが合わなくても非接触のスイッチを使えるようにしたセンサードックで非接触電磁気感知の近接スイッチなどにも使用できる。
【００４０】
図１の１１はセンサースイッチ１１である。
上記センサースイッチは、遊技球の流入を確認するセンサースイッチである。
以上１１個の部品で構成されている。
【００４１】
図３は、本体右側面からランダムに流れてくる遊技球が正常にセンサードック１０を通過してスプロケット４とガイドばね５の間に遊技球玉２が入ったときのイメージ断面図である。
【００４２】
図４は、遊技球揚送が終了してガイドばね５の落下防止ストッパが入りジョイント６へ遊技球が送られ落下防止状態を表している正常な揚送の様子をイメージした断面図である。
【００４３】
図８は  遊戯機と揚送機の位置と大きさをイメージした図である。
遊技台５１、パチンコ台玉受け皿５１A、パチンコ玉排出樋５１B、揚送機５２、出口遊技球揚送パイプの関連をイメージしている。
【産業上の利用可能性】
【００４４】
現在のパチンコ店では遊技用大型の揚送機でパチンコ玉を１台あたり10、000個ほど×台数の数百万個の玉がお店全体で搬送されているが、ゲームセンター遊技球用に製造された個別の遊技機方式は遊技球が遊技機内を循環するため遊技球の使用数が１５０個以下で少なくてすみ経費の節約になり、カードシステムの普及に伴い内部循環方式にパチンコ台が変わる可能性があり、カード式点数方式に変化したとき本発明の機構構造が簡単で小型でパチンコ機本体の組み込まれる可能性がある。
【００４５】
上記パチンコ遊技機方式は遊技球が遊技機内を循環するため他店よりのパチンコ玉持ち込みの防犯上の心配が無くなり、遊技球のパチンコ玉に店名刻印の必要がなく経費の節約になり、本発明の揚送機又は機構が使用される可能性がある。  
【００４６】
上記パチンコ遊技機方式は遊技球が遊技機内を循環するためパチンコ台の前面玉受け皿５１Aが必要でなくなり大幅なデザイン変更の可能性があり、本発明の揚送機又は機構が使用される可能性がある。
【符号の説明】
【００４７】
１  駆動装置
２  ベースプレート
３  本体
４  スプロケット    ４A移送歯車凸部          ４B移送歯車凹部
５  ガイドばね      ５Aガイド固定直線部    ５B噛みこみ防止ばね部
５C移送時遊技球ガイド  ５D落下戻り防止ストッパばね部
５Eガイドばね加工前帯状素材
６  ジョイント
７  側板
８  ばね押さえ
９  センサーステー
10  センサードック
11  センサー
51  遊技台          ５１A玉受け皿          ５１B遊技球排出樋
52  揚送機          ５２A揚送パイプ
【図１】
2011130903.tif 000003
【図２】
2011130903.tif 000004
【図３】
2011130903.tif 000005
【図４】
2011130903.tif 000006
【図５】
2011130903.tif 000007
【図６】
2011130903.tif 000008
【図７】
2011130903.tif 000009
【図８】
2011130903.tif 000010